(57)【要約】      （修正有）【課題】空間の形状をピラミッド型とすることによって、地球からの磁場エネルギー及び宇宙のエネルギーを住居内に集約させ、これらのエネルギーによって細胞の活性化を図ると共に、癌など難病の治療効果も発揮し、人体の生命力の向上に貢献する住居及び岩盤温熱浴施設を提供する。【解決手段】四角形の床面と、周囲四方の三角形の壁材とによって四角錐の空間を形成し、その空間の床に天照石を含む岩盤温床１５を配置し、その岩盤温床１５は、かすり模様の天照石の単板２０と、天照石材を混合したコンクリート部２１を交互に格子状に入り組んだ構成とした。【選択図】図７
2006219843.tif 000002
【特許請求の範囲】
【請求項１】
四角形の床面と、周囲四方の三角形の壁面とによって四角錐の形状としたことを特徴とするピラミッド型住居。
【請求項２】
建物の内部構造を一階、二階、三階の３層構造とし、二階部分の床面が建物の３分の１の高さに位置することを特徴とする請求項１記載のピラミッド型住居。
【請求項３】
床の中心から鉛直方向へ延びて頂点へ達する柱を設置したことを特徴とする請求項１記載のピラミッド型住居。
【請求項４】
床の中心部分に石材を配置し、その石材に柱を据え付けたことを特徴とする請求項３記載のピラミッド型住居。
【請求項５】
前記請求項１〜４いずれか記載のピラミッド型住居において、その空間の床に温床を配置し、岩盤浴を可能としたことを特徴とするピラミッド型岩盤温熱浴施設。
【請求項６】
岩盤温床の表層に、かすり模様の天照石を配設したことを特徴とする請求項５記載のピラミッド型岩盤温熱浴施設。
【請求項７】
岩盤温床の表層に、天照石材を混合したコンクリート層を配設し、その下には種々の形状の天照石の小石を敷き詰めた構造とした請求項５記載のピラミッド型岩盤温熱浴施設。
【請求項８】
かすり模様の天照石と、天照石材を混合したコンクリート面を交互に格子状に入り組んだ構成とした請求項６，７記載のピラミッド型岩盤温熱浴施設。
【請求項９】
空間の壁面をガラス張りとし、採光を取り入れる構成とした請求項５〜８いずれか記載のピラミッド型岩盤温熱浴施設。
【請求項１０】
請求項５〜９いずれか記載のピラミッド型岩盤温熱浴施設において、ピラミッド型住宅として、屋根が中心に向かって尖鋭した形状の建物、またはモスクのようなドーム状屋根の建物を含むことを特徴とするピラミッド型岩盤温熱浴施設。
【発明の詳細な説明】
【技術分野】
【０００１】
本発明はピラミッド型住居及びピラミッド型岩盤温熱浴施設に関する。
【背景技術】
【０００２】
従来から、ピラミッド型の建造物からは、ピラミッドパワーと呼ばれるエネルギーが発生することが知られている。これは、地球のエネルギーと宇宙のエネルギーが共鳴して、そのエネルギーが生命体に作用して、細胞レベルで腐敗を抑えたり、肉体の病気を癒したりすると考えられている。
ピラミッドの石室では、地上から３分の１の高さにおいて、小動物の死骸が殆ど腐敗していなかったことがきっかけとなり、１９３０年ごろフランス人によってピラミッドパワーが発見されている。以後、ピラミッドパワーが注目を浴び、使い古した剃刀の刃の切れ味が良くなること、ピラミッドの中に食品を置くと腐敗が防止されて長期間の保存が可能となることが発見されている。
【０００３】
この理由は、天体、宇宙からの微弱磁気共鳴など宇宙エネルギーが、鉄の不完全格子である転移（デスロケーション  ｄｉｓｌｏｃａｔｉｏｎ）などに固着されている炭素原子が、鉄や炭素の原子が励起され、最外側電子の"ゆらぎ"の部分を変化させ、よく収まった形状の合金となり、転移の増殖が固着され、鋼が強められるからである。理論上、理想の鉄は、鉄の電子線によるゾーンメルテング方法による純鉄を造るときに偶然に発生するウィスカーであり、これは引張り強さは理論上のそれとほぼ同じく、１０００ｋｇ重／ｍｍ２である。
しかし、実用の高張力鋼でも１７０〜１８０ｋｇ重／ｍｍ２がせいぜいであり、これらは全て不完全格子や、転移の増殖による、潜在亀裂によるものである。しかし、この転移論の電子理論的考察は不完全であり、ＭＡＮＡの水における性質と同様の作用があるからである。以上の理論で剃刀の刃の切れ味が変化することは当然のことのように考えられる。これもまた、ＭＡＮＡの水と同様、化学的物質の変化ではないので、現在の分析化学において、解答、解決は得られないものである。（ＭＡＮＡの水に関する詳細は、出願人のホームページの「健康回復センター」に記載されている。）
なお、食品が腐敗しない理由は、水の性質が変わったことによるものであり、ＭＡＮＡの水の性質と同様のものであり、佛教（観無量寿経  大無量寿経）の信心の証として残しているが、その中にこれらしきものがある。
ブドウ糖という燃料（化学ポテンシャルを標準電位に換算すると１．２４[ｖ]であり、水素は１．１[ｖ]、ＣｎＨｍ（石油等のハイドロカーボン）は０．９[ｖ]）を生物は水の中で燃焼させ、人間の場合は常に３６．５℃である・・・・等々。このような、燃焼機関は現在の熱力学では全く説明がつかない。観音（火）と勢至（水）の世界であり阿弥陀の世界は現在の科学を越えている。ＭＡＮＡの水に関する無極科学はこれらを説明するものであるが、科学の常識を越え、佛法の奥義なので言及できない。
また、このようなピラミッドパワーを病気の治療に応用する技術として特開平７−４０８４号公報記載の技術が知られている。
【特許文献１】特開平７−４０８４号公報
【発明の開示】
【発明が解決しようとする課題】
【０００４】
本発明はこのようなピラミッドパワーを利用してなされたものであって、その目的とするところは、住居の形状をピラミッド型とすることによって、地球からの磁場エネルギー及び宇宙のエネルギーを住居内に集約させ、これらのエネルギーによって細胞の活性化を図ると共に、癌など難病の治療効果も発揮し、人体の生命力の向上に貢献する住居及び岩盤温熱浴施設を提供することを目的とする。
【課題を解決するための手段】
【０００５】
前記目的を達成するための手段として請求項１記載のピラミッド型住居では、四角形の床面と、周囲四方の三角形の壁面とによって四角錐の形状とした。
請求項２記載のピラミッド型住居では、請求項１記載のピラミッド型住居において、建物の内部構造を一階、二階、三階の３層構造とし、二階部分の床面が建物の３分の１の高さに位置する構成とした。
請求項３記載のピラミッド型住居では、請求項１記載のピラミッド型住居において、床の中心から鉛直方向へ延びて頂点へ達する柱を設置した。
請求項４記載のピラミッド型住居では、請求項３記載のピラミッド型住居において、床の中心部分に天照石を配置し、その天照石に柱を据え付けた。
請求項５記載のピラミッド型住居では、請求項１〜４いずれか記載のピラミッド型住居において、その空間の床に温床を配置し、岩盤浴を可能とした。
請求項６記載のピラミッド型岩盤温熱浴施設では、請求項５記載のピラミッド型岩盤温熱浴施設において、岩盤温床の表層に、かすり模様の天照石を配設した。
請求項７記載のピラミッド型岩盤温熱浴施設では、請求項５記載のピラミッド型岩盤温熱浴施設において、岩盤温床の表層に、天照石材を混合したコンクリート層を配設し、その下には種々の形状の天照石の小石を敷き詰めている。
請求項８記載のピラミッド型岩盤温熱浴施設では、請求項６，７記載のピラミッド型岩盤温熱浴施設において、かすり模様の天照石と、種々の形状の天照石材を混合したコンクリート面を交互に格子状に入り組んだ構成とした。
請求項９記載のピラミッド型岩盤温熱浴施設では、請求項５〜８いずれか記載のピラミッド型岩盤温熱浴施設において、空間の壁面をガラス張りとし、採光を取り入れる構成とした。
請求項１０記載のピラミッド型岩盤温熱浴施設では、請求項５〜９いずれか記載のピラミッド型岩盤温熱浴施設において、ピラミッド型住宅として、屋根が中心に向かって尖鋭した形状の建物、またはモスクのようなドーム状屋根の建物を含むことを特徴とするピラミッド型岩盤温熱浴施設。
【発明の効果】
【０００６】
本発明では、住居をピラミッド型とし、これらに居住することにより、地球のエネルギー（テラヘルツと呼ぶ場合もある）と宇宙のエネルギーを享受することができ、人体の細胞を活性化させて、生命力を向上させる。
また、ピラミッド型住居の３分の１の高さに位置する部分に二階を備えたので、この空間に滞在することにより、エネルギーを効果的に享受することができる。
さらに、天照石と柱を住居の中心に備えたので、天照石による遠赤外線、マイナスイオン等の効果と共に、地球のエネルギー、宇宙のエネルギーが統合されて人体に作用する。
また、住居の床面に温熱水の循環設備を配置したので、岩盤浴効果、暖房効果を得ることができる。
岩盤温熱浴施設をピラミッド型としたので、天照石による岩盤浴の効果とピラミッドパワーによる相乗効果が得られる。
なお、天照石を入れると臭の成分を分解したり、菌や害虫を駆除あるいは排除するなどの作用は、この石が放出している特殊な電磁波によるものである。この機能はその他、無限の可能性を秘めているので、我々の大きな研究課題である。
【発明を実施するための最良の形態】
【０００７】
以下に、図面に基づいて本発明のピラミッド型住居を実現する最良の形態を説明する。
【実施例１】
【０００８】
以下、図面に基づいて本発明の第１実施例を説明する。
本発明の第１実施例に係るピラミッド型住居Ａは、図１に示すように、正方形の床面１と、その床面１を囲う三角形の側壁材２とによって構成されている。建物の内部には四角錐の空間が形成されて、全体形状は四角錐のいわゆるピラミッド型となっている。壁材２は斜めに傾斜しているため、内部空間は下方が広く、上方に行くに従って空間が収束して狭くなっている。
建物の内部は１階、２階、３階の３層構造であり、それぞれの階を仕切る床が配置され、階段によって、上下階の連絡がなされている。
建物の大きさは一例として、一階部分の床面積が３６坪（１１９．０１６ｍ２）、２階部分が１６坪（５２．８９６ｍ２）、３階部分が４坪（１３．２２４ｍ２）の構成となっている。
壁材２の角度は６０度前後の設定となるが、一例として、斜面を５２度に建造してあることが、ピラミッドパワーを最も取り入れる構造であることが知られている。
壁材２は、木材、石材、コンクリート材、鉄材またはこれらの混合材が使用される。
尚、ピラミッド型住居の周囲には排水溝３が掘られている。
【０００９】
床面１は図２に示すように、天照石からなる岩盤６が敷設されている。その岩盤の下には小石の天照石（種々の形状のものからなる）と粉状の天照石の混合物層７が敷き詰められ、その下に鋼管８が配置されている、この鋼管８は床全体に蛇行して配設され、床面１全体を等間隔で通過して全体をカバーしている。
鋼管８にはボイラーが接続されて、温水が循環するようになっている。温水が通過すると、鋼管８からの熱が岩盤６に伝達され、岩盤の表面温度が適度にコントロールされ、３５℃〜６０℃に達して岩盤浴ができるようになっている。
【００１０】
ボイラーを使用する方法の他、様々な加熱方法もある。本発明では、遠赤外線の発光において、相乗効果をもたらし、非常に良いが、メンテナンスにおいて、特殊な技術が内蔵されている。
【００１１】
一般的にピラミッド型の壁面によって囲まれた空間は、図５に示すように、３分の１の高さの部分の中心にエネルギーが集中する。これは、正三角形の重心Ｏの部分に、地球から出るエネルギーと、天空より下りてくる宇宙エネルギーが集中され、建造物全体の微弱磁気共鳴の特質が変わるためだと考えられている。この変化により、体内水が量子波動矯正水となり、体内酵素やホルモンの作用が変わり、免疫性が向上しＤＮＡ（染色体）に作用する。このため、この位置で生活すると、正常細胞の生成を促進し、癌などの病気にかかりにくく、また、癌などの重い病気の治療効果が向上する。（量子波動矯正水はＭＡＮＡの水と言われ、別途、我々独自の方法によって製造されている。）
本実施例では二階部分がピラミッド型建物の３分の１の高さに位置するため、この二階に滞在することによって、細胞の活性化、体調の正常化等の効果が特に強められる。
【００１２】
ピラミッドパワーの本質と岩盤浴における治療効果をもたらす岩材のパワーは現在の物理・科学の機器による検知は不可能であるが、最近発明されたＳＤ（Science of Divination :予知科学）なる機器では検知可能である。本件について、２００４年１２月１７日、韓国のソウル国際大学校、医学部の第１３回応用微弱磁気エネルギー学会で、定野邦男の発表した内容でもある。
癌を早期に発見し、これを定活したＭＡＮＡの水と、"まなの癒""雅の癒"に用いた岩盤浴の岩材が水の磁気活性質を変化させることができるなどの一連の磁気研究がなされた。
ピラミッドパワーもこのように、水、即ち体内水に同様の作用をなすのだが、今までの機器で検知ができないだけのことであり、実際にはＭＡＮＡの水となる作用があるのである。
イスタンブール大学のパラサイコロジーに通じている人物に会ったが、彼はそのパワーはなく、町の長老からそのパワーの存在を知っている人物に会ったが、佛教の奥義と同様のことをしていた。この佛教の奥義も、ＳＤの測定で確認されている。ピラミッドパワーは、ピラミッド型だけではなく、モスクのような屋根の形状でもよい。よって、ドーム状のものも良く、以前出願した日本の神社形式の屋根でもよいと考えられる。よって、ピラミッド型というのは一般のドーム型モスクのような形式も含まれたもので、岩盤浴をすると、ピラミッドパワーが加わり、結露がなく好都合である。よって、本発明の実施例は分かりやすくピラミッド型として説明するが、本発明のピラミッド型としては、図１６（イ）〜（ヘ）のような形状も含むものとする。
【００１３】
図１６（イ）の建物は長方形の平面において、屋根が四辺から中心で尖鋭している。（ロ）の建物は四角形の平面において、壁面が垂直に立ち上がりその上の屋根が四辺から中心で尖鋭している。（ハ）の建物は三角形の平面において、屋根が三辺から中心で尖鋭している。（ニ）の建物は円形の平面において、屋根が円錐を描いて中心で尖鋭している。（ホ）の建物は円形の平面において、壁面が垂直に立ち上がりその上の屋根が円錐を描いて中心で尖鋭している。（へ）の建物は円形の平面において、壁面が垂直に立ち上がりその上の屋根が内側に湾曲しながら円錐を描いて中心で尖鋭している。
【実施例２】
【００１４】
次に、図３、図４は第２実施例に係るピラミッド型住居Ｂである。
第２実施例にかかるピラミッド型住居Ｂは前記第１実施例で説明したピラミッド型住居Ａの中心に柱１０を立設した構成である。
この柱は床面１の中心部分に据え付けられている。床面の中心とは、平面視正方形の床面のそれぞれの角からの対角線が交差する部分である。
床面の広さは前記実施の形態１と同程度であるが、この中心に深さ数十ｃｍの穴１１を堀り、底に土台となる天照石１２を配置する。そして、その天照石１２の上に柱１０を載せ、穴の中に天照石の小石と石粉とコンクリートを混合して入れ込み、柱を固定する。
【００１５】
床面１の表面は多孔室の木材１３によって構成され、床面の下には実施の形態１と同様に、小石の天照石と粉状の天照石の混合物層７が敷き詰められ、その下に鋼管８が配置されている、この鋼管８は床全体に蛇行して配設され、床面全体を等間隔で通過して全体をカバーしている。
鋼管８にはボイラーが接続されて、温水が循環し、暖房設備が施工されている。
【００１６】
ここで、天照石とは、宮崎県と大分県の県境の深山霊峰で発見された天然鉱石で、およそ二万年以上前に生成されたといわれ、高千穂地方でしか採れないことから 「天照石」 と呼ばれている。この天照石は、とても不思議なエネルギーがあり、高千穂に登山すると肩こりが治ったとか、体が軽くなったなどという話が、昔から言い伝られていたところ、人体に有益な素晴らしい力を持つ石であることが様々な研究によって分かって来ている。
学術名はホルンフェスであり天照石という通称名は他産地の石に対して同様に言われている。不老長寿の妙薬を「まなの壷」と言われているので、当社では「まなの天照石」と名付けている。テラヘルツを発する岩石をこのように名付けた。
そして、人工衛星による観測により、地球上で高千穂、祖母山系、ヒマラヤ山系、北欧（ノルウェー、フィンランド、スコットランド）の地域から出ているテラヘルツの電磁波が確認されていることから、この現象は「まなの天照石」によるものと考えられている。
すなわち、高千穂山系の中でも、特に、著しい特性を有する限られた地域の岩石を「まなの天照石」と名づけたものである。
【００１７】
「まなの天照石」には以下のような、効果が知られている。
（１）４．０ミクロン〜１４．０ミクロンの遠赤外線が放射されており、人体の細胞を活性化し、新陳代謝を促進する働きを持っている。波長だけの問題ではなく、重要な特性を有する。
（２）この遠赤外線には、過酸化脂質の形成を抑制する効果があり、それは、血流の促進や動脈硬化、脳血栓、心筋梗塞の改善を促す。その他、未知の作用も考えられる。
（３）ヒト白血球、リンパ球の機能を亢進させ、免疫機能を向上させる。
（４）また、天照石からは、7,500個/ccのマイナスイオンも放出しており、リフレッシュ効果とリラックス効果からストレスを解消し自律神経が安定し人間が本来持っている自然治癒力を強化する。この石が水に接すると還元性の水に変える特性が著しい。
（５）抗菌防臭効果と消臭効果があり、衛生面でも安心である。（特に、この作用が著しい。）
（６）水に触れると、還元性の水に変えるので、酸化を防止する作用のある水となる。また、水をアルカリ性に変える。よって、この水が生物に取り込まれると老廃物を変化させ、生体を活性化したり肥大化する作用がある。
（７）この石が放射する特殊な電磁波により、害虫や菌類を駆除し、また、赤外線と相乗的作用により、臭の成分排除、分解する作用がある。
【００１８】
このような天照石と柱を使用することにより、図６の矢線に示すように石と木（柱１０）の作用によってエネルギーの流れが生じ、宇宙エネルギーと地球エネルギーのバランスが統合されて人体に作用する。
【００１９】
次に、第３実施例に係るピラミッド型岩盤温熱浴施設を説明する。
第３実施例のピラミッド型岩盤温熱浴施設は、図７〜図１３に示すように、正方形の床面１と、その床面１に設置された岩盤温床１５と、それらの空間を囲う三角形の側壁材２とによって構成されている。建物の内部には四角錐の空間が形成されて、全体形状は四角錐のいわゆるピラミッド型となっている。壁材は斜めに傾斜しているため、内部空間は下方が広く、上方に行くに従って空間が収束して狭くなっている。
このピラミッド型岩盤温熱浴施設の大きさは、一例として、床面が１０００ｍｍ×１０００ｍｍの四角形の形状をなし、壁面の３角形は一辺１０００ｍｍの正三角形であり、建物全体は正四角錐の形状となっている。
尚、本実施例では建物の下部が２０００ｍｍ程度嵩上げされた状態とされ、それに伴って側壁材が斜め下方へ延長している。
壁材２には透明ガラスが使用され、内部空間への採光を得る構成とされている。このガラス材は一枚のガラス板によって構成する場合の他、複数のガラス板を接合して、一連のガラス壁を構成する。また、すりガラス、色付きガラス等を使用することも可能である。
【００２０】
前記床面１には、天照石を組み入れた岩盤温床１５が配置され、この岩盤温床１５の下に温水管１６が配設されている。床面に人が一人横になれるスペースが所定間隔で並べられ、本実施例では、２個の岩盤温床１５が隣接して対をなし、床面の両端及び中央に、６人の岩盤温床が３列並べられて  全体で１８名の入浴スペースが形成されている。
床面周辺は、壁が迫り狭窄した状態となっているので、その方向へは足を向けて横になる。
【００２１】
ピラミッド型岩盤温熱浴施設の床には、図１０、図１１に示すように、最下層には断熱材１７が配置され、その上にはコンクリート層１８と温水管１６が配置され、その上には天照石を混合したコンクリート層１９が配置され、さらにその上の最上層には入浴者の身体に接触する天照石の単板２０及び天照石を混合したコンクリート部２１が配置されている。
尚、天照石を混合したコンクリート層１９と、天照石を混合したコンクリート部２１は同一素材によって構成されている。
【００２２】
日本の学会では、外的圧力、軍事的圧力によって、赤外線の研究はあまりされていない。遠赤外、近赤外などのように単純に呼ばれているが実体を正しく表現するものではない。テラヘルツ・・・等々と呼ばれているが、この種の電磁波は多種多様であり、これらが体内の多種多様の効用があると考えられる。炭素棒から出す赤外線、ヘモグロビンから出る赤外線（決して日本や世界で言われている気功や気セラピーなどあやしげなものではない。）などが病気治療に良いと言われているが、この"まなの天照石"（この道の専門家により、この岩脈の石が最良と言われているもの）から発する赤外線はこれら以上に色々な病気治療に有効なのは当然である。
なお、ルビーなど角の尖った所から発するレーザー光線はコヒーレントになり、どこまでも強いままである。よって、この特性のあるこの石を平面的に磨いたり、表面が丸くなった石（小石状のもの）にすると、まろやかな弱い光となり角のある砂のような小石はそれなりに強くなり、粉末状のものは、それなりの波の赤外線が生じる。石自身から赤外線などを放射しているので、強い場合には痛く感じる。よって、色々の体内細胞や器官や機能に対して、多くの対応を可能にするには、色々な形状の石を使用すべきである。すなわち、岩盤浴といわれる岩盤状のものだけでなく、これから進化し、病気治療を目的にセットするならば、多くの形状の多様な「石相浴」が良いのである。これらの割合など我々独自の方法により構成されている岩相浴ベッドによる岩相浴パワーとピラミッドパワーにより、癌などの成人病の治療が可能になるのである。
【００２３】
前記断熱材１７は施設の床の全域をカバーし、断熱効果を備える発泡ポリエチレン等の樹脂層によって構成され、温水管１６からの熱が下へ放散するのを防止して、暖熱効果を維持する。
前記コンクリート層１８は施設の床の全域に配置され、内部に温水管１６が挿通され、この温水管１６からの熱はこのコンクリート層に蓄積されて、上方に熱を伝導する。
前記温水管１６は、床面全体に所定間隔に挿通され、内部を通過する湯の熱が直接岩盤またはコンクリート層に達する構成となっている。岩盤温床の表面の温度は、この熱を受けて４０℃〜５０℃に達する。
前記天照石を混合したコンクリート層１９は、モルタルに天照石の粉末あるいは、天照石の小石を混合して、均一に打設した後に、養生固化したものである。
【００２４】
最上層は岩盤温床であるが、入浴者が横になる横臥部分２２と、その横臥部分２２から両側へ広がる天照石を混合したコンクリート部２１と、そのコンクリート部の両側を挟む、仕切り２３によって構成されている。
前記横臥部分２２の横幅は４００ｍｍ、長さ１８００ｍｍであり、入浴者はこの上に直接またはタオル等を敷いて横になる。
この横臥部分２２にはかすり模様の天照石の単板２０と、天照石を混合したコンクリート部２１が交互に配置されている。
天照石の単板２０は２００ｍｍ四方、厚さ数ｃｍの天照石の形状をなし、この単板とコンクリート部が交互に格子縞を描いて交互に入れ替わって配置されている。このように、かすり模様の天照石とコンクリート面が交互に入れ替わって、配置されていることにより、美的印象が得られる。外形的美は内在の合目的を表現する場合が多い。
温水管１６は岩盤温床の部分を暖熱するように、通過して、それぞれの岩盤温床全体を均一に暖熱できるように、屈曲しながらその下を通過している。尚、この温水管は岩盤温床の下を集中して通過させ、温度調節機能を付与することも可能である。
【００２５】
前記天照石を混合したコンクリート層２１は、モルタルに土または粘土と土質改良剤を添加して固化させたものであり、固化したコンクリートの内部には無数の連続気孔が生じ、全体的に通気性、透水性、保水性を備えている。（一般的製法による他、独自の粘土等を使用し、製法も特殊なものによる。）
前記岩盤温床の他の形態として、図１４、図１５に示すように、横臥部分２２に天照石の単板を頭部から足部に向かって、１枚、２枚と交互に張り巡らせる構成としても良い。
この図１４、１５の岩盤温床は、１床につき天照石の粉末１５〜２０Ｋｇをモルタルに均等に混合して形成し、また、表面及びその内部には天照石の小石２４を１５〜２０Ｋｇをある程度間隔をおいて均等に埋め込んでいる。尚、小石は大小、種々の形状による。
また、横臥部分２２は一段高く構成され、その両側には天照石を含有したコンクリート部２１が配置されている。
【００２６】
本発明のピラミッド型岩盤温熱浴施設を商用施設としたものが図８である。
図８では、施設の出入口には自動ドア２５が配置され、自動ドア２５から中へ入るとロビー２６が奥へ通じ、ロビー２６の右側にはショーウインド２７が面し、ショーウインド２７の裏に食堂２８が配置されている。
食堂２８にはキッチン２９が接続され、キッチン２９の奥に事務所３０、そして、事務所３０の奥にコインランドリー３１、乾燥機３２が配置されている。
ロビー２６の一角にはエステ店３３が接続され、ロビー２６の奥には倉庫３４、トイレ３５が配置されている。
また、ロビー２６の左にはロッカールーム３６が面し、男女別々のロッカールームが備えられて、そのロッカールーム３６内にはトイレ３７、シャワールーム３８が配置されている。客はロッカーに衣服を収容して、着替えた後に、自動ドア３９からピラミッド型岩盤温熱浴施設に入浴する。
【００２７】
施設のピラミッド空間の側壁の下部には空間が形成されるが、ここは内部空間と仕切られて、休憩室４０、ボイラ室４１として使用され、ボイラ室４１には油タンク、燃焼装置等が設置されている。
入浴者はロッカールーム３６で着替えた後に、岩盤温床に横になる。
温水管１６を流れる温水の熱が横臥部分２２に伝導して、入浴効果が得られる。ここで、天照石が加熱されることにより、遠赤外線、マイナスイオン等が発生し、これらがヒーリング効果を与える。
室内から発生する蒸気は、壁に付着するが、壁の傾斜を伝って流下し、溝に集約されて排出される。水滴は傾斜に沿って流れ落ちるので、ガラスの水滴は除去されて、採光は常に維持される。
この水滴を集めた水は、岩相浴パワーとピラミッドパワーによって、生体や植物に非常に良い作用を与えるので、廃棄せずに、室内の加湿に用いると、室内の人々の身体に良く、この水があるピラミッドの中では、死体がミイラになるくらの良い水なので、健康飲料水あるいは薬用効果のあるものである。この水の効用と活用が今後の研究課題である。
【００２８】
以上、本発明の実施例を説明したが、具体的な構成は前記実施例に限定されるものではなく、発明の要旨を逸脱しない範囲の設計変更などがあっても本発明に含まれる。
例えば、本実施例で説明したピラミッド型住居は、それぞれ浴室棟、寝室棟、居間棟等独立して、それぞれを連立させて配置することも可能であり、それによって、居住性の整った住宅として使用される。
図１示す住居でも良いが、図３にようにしたものの方がはるかに効果的となる。なお、図３の住居を高さの３倍以内の距離の場所に同じものを２個建築すると、波動が共鳴してエネルギーが増幅される。よって、これを名付けて「ツインピラミッドパワー」と呼び、この地を人工的「聖地」と位置付けることができる。
前記実施例３のピラミッド型岩盤温熱浴施設は、建物の内部構造を一階、二階、三階の３層構造とし、岩盤温床を一階、二階、三階のそれぞれに配置することも可能である。
また、コンクリート層の下に種々の形状の天照石の小石を敷き詰める構成であっても本発明に含まれる。
【図面の簡単な説明】
【００２９】
【図１】第１実施例に係るピラミッド型住居の概略側面図である。
【図２】第１実施例に係るピラミッド型住居の床面の断面図である。
【図３】第２実施例に係るピラミッド型住居の概略側面図である。
【図４】第２実施例に係るピラミッド型住居の床面の断面図である。
【図５】ピラミッドパワーのエネルギーの集約点を示す説明図である。
【図６】ピラミッドパワーの地球から放出されるテラヘルツ・エネルギー（Ａ）と空中（宇宙）から地球に入っていくエネルギー（微弱磁気共鳴に関与するエネルギー）（Ｂ）の流れを示す概念図である。
【図７】岩盤温床の平面図である。
【図８】ピラミッド型岩盤温熱浴施設を利用した商用施設の概略平面図である。
【図９】岩盤温床の断面図である。
【図１０】岩盤温床のＡ層、Ｂ層、Ｃ層の拡大断面図である。
【図１１】ピラミッド型岩盤温熱浴施設を利用した商用施設の概略側面図である
【図１２】ピラミッド型岩盤温熱浴施設の側面図である。
【図１３】ピラミッド型岩盤温熱浴施設の平面図である。
【図１４】岩盤温床の他の形態を示す平面図である。
【図１５】岩盤温床の他の形態を示す断面図である。
【図１６】ピラミッド型に含まれる住居の形態を示す説明図である。
【符号の説明】
【００３０】
１  床面
２  壁材
３  溝
６  岩盤層
７  混合物層
８  鋼管
１０  柱
１１  穴
１２  天照石
１５  岩盤温床
１６  温水管
１７  断熱材
１８  コンクリート層
１９  天照石を混合したコンクリート層
２０  天照石の単板
２１  天照石を混合したコンクリート部
２２  横臥部分
２３  仕切り
２４  小石
２５  自動ドア
２６  ロビー
２７  ショーウインド
２８  食堂
２９  キッチン
３０  事務室
３１  コインランドリー
３２  乾燥機
３３  エステ店
３４  倉庫
３５  トイレ
３６  ロッカールーム
３７  トイレ
３８  シャワー室
３９  自動ドア
４０  休憩室
４１  ボイラ室
【図１】
2006219843.tif 000003
【図２】
2006219843.tif 000004
【図３】
2006219843.tif 000005
【図４】
2006219843.tif 000006
【図５】
2006219843.tif 000007
【図６】
2006219843.tif 000008
【図８】
2006219843.tif 000009
【図９】
2006219843.tif 000010
【図１０】
2006219843.tif 000011
【図１１】
2006219843.tif 000012
【図１２】
2006219843.tif 000013
【図１３】
2006219843.tif 000014
【図１５】
2006219843.tif 000015
【図１６】
2006219843.tif 000016
【図７】
2006219843.tif 000017
【図１４】
2006219843.tif 000018